(57)【要約】【課題】より迅速に回線との間の接続極性を適切な状態に設定することが可能な接続制御装置、接続制御方法およびスイッチ回路制御プログラムを得ること。【解決手段】回線終端装置１００の回線終端回路１１１は、外部加入者線１０１との間でフレーム同期が確立されると有効になるＬＯＦ信号１１６を制御処理部１０６に供給して、同期が確立しているか否かを伝達する。制御処理部１０６は、スイッチ回路１０３がノーマル接続状態またはリバース接続状態で同期が確立されない状態が継続すると、他方の接続状態に切り替える。いずれかの接続状態で同期が確立した状態が継続すると、そのときの接続状態を設定して通常の通信を開始させる。【選択図】図１
2006303564.tif 000002
【特許請求の範囲】
【請求項１】
１対のメタルケーブルからなる電話回線とその一端を終端するための回線終端回路との間に配置され、前記回線終端回路に接続される前記メタルケーブルの極性を反転自在に切り替えるためのスイッチと、
前記電話回線を使用したディジタル通信に適用する前記極性の接続状態をこのスイッチに設定する設定作業時に、このスイッチをいずれかの接続極性に固定した状態で前記電話回線を伝送されるディジタル信号の中に所定の周期をもって現われる同期信号を検出する同期信号検出手段と、
この同期信号検出手段が前記同期信号を含むディジタル信号に対して外乱として作用する可能性のある信号の発生する長さとして想定される予め定めた最長時間に前記所定の周期を加えた時間としての第１の時間少なくとも連続して前記同期信号を検出しないとき前記スイッチの接続を反転させるスイッチ制御手段
とを具備することを特徴とする接続制御装置。
【請求項２】
前記スイッチ制御手段が前記スイッチの接続を反転させると、前記同期信号検出手段に再度前記同期信号の検出を行わせる信号検出再実行手段を更に具備することを特徴とする請求項１記載の接続制御装置。
【請求項３】
通信制御を目的として前記メタルケーブルの極性が反転状態となる長さとして想定される予め定めた最長時間に前記所定の周期を加えた時間としての第２の時間に亘って前記同期信号検出手段が前記同期信号を連続して検出すると、前記スイッチのそのときの前記極性の接続状態を前記電話回線を使用したディジタル通信に適用する接続状態として設定する前記接続状態設定手段
を更に具備することを特徴とする請求項１記載の接続制御装置。
【請求項４】
前記スイッチ制御手段が前記スイッチの接続状態を切り替えた回数をカウントする反転回数カウント手段と、
この反転回数カウント手段のカウント値が所定値に達したとき、前記スイッチのそのときの前記極性の接続状態を前記電話回線を使用したディジタル通信に適用する接続状態として設定するカウント値接続状態設定手段
とを更に具備することを特徴とする請求項２記載の接続制御装置。
【請求項５】
前記同期信号検出手段が前記同期信号を検出するごとに、前記反転回数カウント手段のカウント値を初期値に戻すカウント値初期化手段を更に具備することを特徴とする請求項４記載の接続制御装置。
【請求項６】
前記同期信号検出手段は、前記スイッチの接続の状態が切り替わったときにはその切り替えから前記電話回線の信号の状態が落ち着くのに十分な第３の時間が経過してから前記同期信号の検出を開始する手段であることを特徴とする請求項２記載の接続制御装置。
【請求項７】
前記電話回線を使用したディジタル通信に適用する前記極性の接続状態の設定の要求を受け付ける接続状態設定要求受付手段を更に具備し、
前記同期信号検出手段は、この接続状態設定要求受付手段が前記要求を受け付けると前記同期信号の検出を開始する手段であることを特徴とする請求項１記載の接続制御装置。
【請求項８】
前記スイッチが前記電話回線に接続させる前記回線終端回路を初期化する回路初期化手段を更に具備し、
前記同期信号検出手段は、この回路初期化手段が前記初期化を完了した後前記電話回線の信号の状態が落ち着くのに十分な第４の時間が経過してから前記同期信号の検出を開始する手段であることを特徴とする請求項１記載の接続制御装置。
【請求項９】
前記スイッチは、前記回線終端回路の１対の端子のぞれぞれを前記電話回線の１対のメタルケーブルに切り替え自在に電気的に接続する２つのケーブル端子接続手段と、これら２つのケーブル端子接続手段の接続を制御して前記回線終端回路の１対の端子と前記電話回線の１対のメタルケーブルとを組み合わせ自在に１対１で接続させるケーブル端子接続手段制御手段を備えた手段であることを特徴とする請求項１記載の接続制御装置。
【請求項１０】
電話回線を終端するための回線終端回路に備えられた１対の端子を、電話回線を構成する１対のメタルケーブルに１対１で接続させる回線接続ステップと、
この回線接続ステップで前記回線終端回路が前記電話回線に接続されると、前記電話回線を伝送されるディジタル信号の中に所定の周期をもって現われる同期信号の検出を開始する同期信号検出開始ステップと、
この同期信号検出開始ステップで開始された検出で、前記同期信号を含むディジタル信号に対して外乱として作用する可能性のある信号の発生する長さとして想定される予め定めた最長時間に前記所定の周期を加えた時間としての第１の時間少なくとも連続して前記同期信号を検出しないと、前記回線終端回路の１対の端子と前記電話回線の１対のメタルケーブルの接続状態を切り替える接続状態切替ステップと、
この接続状態切替ステップで前記回線終端回路と前記電話回線の接続状態が切り替えられると、前記同期信号検出開始ステップを再実行させる信号検出再実行ステップ
とを具備することを特徴とする接続制御方法。
【請求項１１】
電話回線を終端するための回線終端回路に備えられた１対の端子を電話回線を構成する１対のメタルケーブルに１対１で接続させるスイッチ回路の接続状態を制御するためのコンピュータに、
前記スイッチ回路に対していずれかの接続状態で前記回線終端回路を前記電話回線に接続させる回線接続処理と、
この回線接続処理で前記回線終端回路が前記電話回線に接続されると、前記電話回線を伝送されるディジタル信号の中に所定の周期をもって現われる同期信号の検出を行う同期信号検出処理と、
この同期信号検出処理で、前記同期信号を含むディジタル信号に対して外乱として作用する可能性のある信号の発生する長さとして想定される予め定めた最長時間に前記所定の周期を加えた時間としての第１の時間少なくとも連続して前記同期信号を検出しないと、前記スイッチ回路の接続状態を切り替える接続状態切替処理と、
この接続状態切替処理で前記スイッチ回路の接続状態が切り替えられると、前記同期信号検出処理を再実行させる信号検出再実行処理
とを実行させることを特徴とするスイッチ回路制御プログラム。
【発明の詳細な説明】
【技術分野】
【０００１】
本発明は、電話回線に接続される回線終端回路についてその接続極性を切り替える接続制御装置、接続制御方法およびスイッチ回路制御プログラムに係わり、特に回線の極性に適合させた接続を行うことが必要とされる場合に好適な接続制御装置、接続制御方法およびスイッチ回路制御プログラムに関する。
【背景技術】
【０００２】
２線のメタルケーブルにより構成される電話回線では、このメタルケーブルを使用して網側からユーザ側の電話機等の回線終端装置へと遠隔給電が行われている。これら２線は一般にＬ１線およびＬ２線と呼ばれており、その間には４８ボルトあるいは６０ボルトといった所定の電位差が形成されている。この電話回線の極性は、電話の相手先の呼出時には反転させ、相手先が受話器を取って呼び出しに応答すると元の極性に復帰させるといったように、網側からユーザ側の回線終端装置に対する通信の制御に使用されている。Ｌ１線の方がＬ２線よりも電位が高い状態をノーマル極性といい、これが反転されてＬ２線の方がＬ１線よりも電位が高い状態をリバース極性という。
【０００３】
メタルケーブルを使用してディジタル通信を行うＩＳＤＮ（Integrated Services Digital Network）回線でも、メタルケーブルの極性を網側からＤＳＵ（Digital Service Unit）と呼ばれるユーザ側の回線終端装置に対する通信の制御に使用している。
【０００４】
旧来のアナログ式の電話機ではＬ１線とＬ２線の極性の反転動作を必要とするものの、接続極性自体は問題とならないのが通常である。しかしながら、ＩＳＤＮ回線の場合には、回線のＬ１線およびＬ２線とＤＳＵ内部の回線終端回路に設けられたこれら２線を接続するための２つの端子が正しく接続されていないと、正常な通信を行うことができない。
【０００５】
そこで、網側から送られてくる信号を利用して接続を切り替える提案が行われている（たとえば特許文献１参照）。この従来の提案では、回線終端装置の回線に対する接続状態を切り替えるためのスイッチ回路を用意している。そして、網側と回線終端装置との間でやりとりされる信号を監視し、同期確立を示す信号が検出されない場合にはスイッチ回路の接続を切り替え、回線の状態が落ち着くのに十分な所定時間を待ってから再度同期確立を示す信号が検出されるか否かを判別する。同期確立を示す信号が検出されると、そのときの接続状態でスイッチ回路を固定する。これにより、現地工事要員を派遣することなく網側と回線終端装置との接続極性を適切な状態に切り替えることができる。
【特許文献１】特開平１１−３４１１７８号公報（第００１８段落、図４）
【発明の開示】
【発明が解決しようとする課題】
【０００６】
しかしながら、正しい接続極性となっていても、通信障害によって一時的に網側と回線終端装置側が正常に信号をやりとりできなくなることがある。また、既に説明したように、ＩＳＤＮ回線では網側からの通信制御の手段のひとつとして回線の極性を一時的に反転させることが行われている。すると、短い時間であるが前記した同期確立を示す信号が検出されない状態が発生する。従来の提案では、このような状態で判定が行われると、正しい接続極性にもかかわらずスイッチ回路の接続を切り替えてしまう。すると、他方の接続状態での検出を行ってから再度スイッチ回路の接続が切り替わるまで正しく同期確立を示す信号を検出する機会を待たなくてはならず、判別に時間がかかってしまう恐れがある。
【０００７】
そこで本発明の目的は、より迅速に回線との間の接続極性を適切な状態に設定することが可能な接続制御装置、接続制御方法およびスイッチ回路制御プログラムを提供することにある。
【課題を解決するための手段】
【０００８】
本発明では、（イ）１対のメタルケーブルからなる電話回線とその一端を終端するための回線終端回路との間に配置され、回線終端回路に接続されるメタルケーブルの極性を反転自在に切り替えるためのスイッチと、（ロ）電話回線を使用したディジタル通信に適用する極性の接続状態をこのスイッチに設定する設定作業時に、このスイッチをいずれかの接続極性に固定した状態で電話回線を伝送されるディジタル信号の中に所定の周期をもって現われる同期信号を検出する同期信号検出手段と、（ハ）この同期信号検出手段が同期信号を含むディジタル信号に対して外乱として作用する可能性のある信号の発生する長さとして想定される予め定めた最長時間に所定の周期を加えた時間としての第１の時間少なくとも連続して同期信号を検出しないときスイッチの接続を反転させるスイッチ制御手段とを接続制御装置に具備させる。
【０００９】
すなわち本発明では、１対のメタルケーブルからなる電話回線とその一端を終端するための回線終端回路との間に配置された回線終端回路に接続されるメタルケーブルの極性を反転自在に切り替えるためのスイッチを備えている。また、電話回線を使用したディジタル通信に適用する極性の接続状態をこのスイッチに設定する設定作業時に、このスイッチをいずれかの接続極性に固定した状態で電話回線を伝送されるディジタル信号の中に所定の周期をもって現われる同期信号を検出する同期信号検出手段を備えている。そして、第１の時間少なくとも連続して同期信号を検出しないときには、スイッチの接続を反転させるようになっている。これにより、極性を適合させた状態で、電話回線に回線終端回路を接続させることができる。また、この第１の時間は、同期信号を含むディジタル信号に対して外乱として作用する可能性のある信号の発生する長さとして想定される予め定めた最長時間に所定の周期を加えた時間としている。したがって、電話回線の極性が一時的に本来の極性と反転するような場合に、誤判別に伴う無駄な接続切替処理を低減させることが可能となる。
【００１０】
本発明では、（イ）電話回線を終端するための回線終端回路に備えられた１対の端子を、電話回線を構成する１対のメタルケーブルに１対１で接続させる回線接続ステップと、（ロ）この回線接続ステップで回線終端回路が電話回線に接続されると、電話回線を伝送されるディジタル信号の中に所定の周期をもって現われる同期信号の検出を開始する同期信号検出開始ステップと、（ハ）この同期信号検出開始ステップで開始された検出で、同期信号を含むディジタル信号に対して外乱として作用する可能性のある信号の発生する長さとして想定される予め定めた最長時間に所定の周期を加えた時間としての第１の時間少なくとも連続して同期信号を検出しないと、回線終端回路の１対の端子と電話回線の１対のメタルケーブルの接続状態を切り替える接続状態切替ステップと、（ニ）この接続状態切替ステップで回線終端回路と電話回線の接続状態が切り替えられると、同期信号検出開始ステップを再実行させる信号検出再実行ステップとを接続制御方法に具備させる。
【００１１】
すなわち本発明では、電話回線を終端するための回線終端回路に備えられた１対の端子を電話回線を構成する１対のメタルケーブルに１対１で接続させ、電話回線を伝送されるディジタル信号の中に所定の周期をもって現われる同期信号の検出を開始する。そして、第１の所定の時間少なくとも連続してこの同期信号を検出しないと、回線終端回路と電話回線の接続状態を切り替えて、再度同期信号の検出を開始させるようにしている。これにより、極性を適合させた状態で、電話回線に回線終端回路を接続させることができる。また、この第１の時間は、同期信号を含むディジタル信号に対して外乱として作用する可能性のある信号の発生する長さとして想定される予め定めた最長時間に所定の周期を加えた時間としている。したがって、電話回線の極性が一時的に本来の極性と反転するような場合に、誤判別に伴う無駄な接続切替処理を低減させることが可能となる。
【００１２】
本発明では、電話回線を終端するための回線終端回路に備えられた１対の端子を電話回線を構成する１対のメタルケーブルに１対１で接続させるスイッチ回路の接続状態を制御するためのコンピュータに、（イ）スイッチ回路に対していずれかの接続状態で回線終端回路を電話回線に接続させる回線接続処理と、（ロ）この回線接続処理で回線終端回路が電話回線に接続されると、電話回線を伝送されるディジタル信号の中に所定の周期をもって現われる同期信号の検出を行う同期信号検出処理と、（ハ）この同期信号検出処理で、同期信号を含むディジタル信号に対して外乱として作用する可能性のある信号の発生する長さとして想定される予め定めた最長時間に所定の周期を加えた時間としての第１の時間少なくとも連続して同期信号を検出しないと、スイッチ回路の接続状態を切り替える接続状態切替処理と、（ニ）この接続状態切替処理でスイッチ回路の接続状態が切り替えられると、同期信号検出処理を再実行させる信号検出再実行処理とをスイッチ回路制御プログラムによって実行させる。
【００１３】
すなわち本発明では、電話回線を終端するための回線終端回路に備えられた１対の端子を電話回線を構成する１対のメタルケーブルに１対１で接続させるスイッチ回路の接続状態を制御するためのコンピュータに、まずいずれかの接続状態で回線終端回路を電話回線に接続させる処理を実行させる。そして、電話回線を伝送されるディジタル信号の中に所定の周期をもって現われる同期信号の検出を行う処理と、この処理で第１の所定の時間少なくとも連続して同期信号が検出されないとスイッチ回路の接続状態を切り替える処理を実行させる。スイッチ回路の接続状態の切り替え後には、再び同期信号を検出する処理を実行させる。これにより、極性を適合させた状態で、電話回線に回線終端回路を接続させることができる。また、この第１の時間は、同期信号を含むディジタル信号に対して外乱として作用する可能性のある信号の発生する長さとして想定される予め定めた最長時間に所定の周期を加えた時間としている。したがって、電話回線の極性が一時的に本来の極性と反転するような場合に、誤判別に伴う無駄な接続切替処理を低減させることが可能となる。
【発明の効果】
【００１４】
以上説明したように本発明によれば、少なくとも第１の所定の時間に亘って同期信号が検出されない状態が継続してから、スイッチの接続状態を切り替えるようになっている。これにより、たとえば通信障害で本来検出されるはずの信号が検出されないような場合に、このようなノイズが発生する時間長さよりも長く第１の所定の時間を設定することによって、誤判別に伴う無駄な接続切替処理を低減させることができ、より迅速に回線との間の接続極性を適切な状態に設定することが可能となる。
【発明を実施するための最良の形態】
【００１５】
以下実施例につき本発明を詳細に説明する。
【実施例１】
【００１６】
図１は本発明の一実施例における接続制御装置としてのスイッチ回路と制御処理部を備えた回線終端装置の要部を表わしたものである。この回線終端装置１００は、ＩＳＤＮ回線である外部加入者線１０１と接続された回線インタフェース回路１０２を備えている。この回線インタフェース回路１０２は、外部加入者線１０１とのインタフェースを行い、装置内に回線を接続するものである。回線インタフェース回路１０２は装置内のスイッチ回路１０３の一方の入出力端１０４、１０５と接続されている。また、回線終端装置１００は外部加入者線１０１を終端するための回路部品で構成される回線終端回路１０６を備えており、スイッチ回路１０３の他方の入出力端１０７、１０８と接続されているとともに、図示しない装置内部の回路部分と接続されている。スイッチ回路１０３は、回線インタフェース回路１０２と回線終端回路１０６との接続状態を第１〜第４のスイッチＳ1〜Ｓ4のオン・オフの組み合わせによって切り替える回路であり、制御処理部１０９から出力される切替制御信号１１０によって切り替えの制御が行われるようになっている。スイッチ回路１０３の一方の入出力端１０４、１０５は、回線インタフェース回路１０２の図示しないＬ１線およびＬ２線にそれぞれ接続されている。また、他方の入出力端１０７、１０８は、回線終端回路１０６の図示しないＬ１線およびＬ２線にそれぞれ接続されている。
【００１７】
制御処理部１０９は、図示しないがＣＰＵ（中央処理装置）と、回線終端装置１００を制御するための制御プログラムを格納したＲＯＭ（リード・オンリ・メモリ）等の記憶媒体を備えている。そして、図示しないクロック発生源からクロックの供給を受けて、それぞれ所定の条件で計時動作をソフトウェア的に行うタイマ１１２と、所定の処理について処理が行われた回数をカウントするカウンタ１１３を備えている。なお、制御処理部１０９はその全部をソフトウェアによって実現する必要はなく、その一部または全部をハードウェアで構成することも可能である。
【００１８】
本実施例で回線終端回路１０６は、ＬＯＳ（Loss Of Signal）信号１１５とＬＯＦ（Loss Of Frame）信号１１６を制御処理部１０９に供給して、これらを用いることでスイッチ回路１０３の切替制御を行わせるようになっている。ここで、ＬＯＳ信号１１５は、回線信号無し検出信号と呼ばれる信号であり、回線上に有効な信号が検出されない場合に有効となる。ＬＯＦ信号１１６はフレーム検出無し信号と呼ばれる信号であり、回線上に有効なフレームが検出されない場合、たとえば外部加入者線１０１側からフレームが送られてきていてもこれに同期できないような場合に有効となる。また、スイッチ回路１０３の切り替えを行うための切替制御信号１１０は、第１の切替用信号１１７と第２の切替用信号１１８によって構成されている。
【００１９】
外部加入者線１０１の他端に接続された図示しない相手先からは、通信の同期をとるために周期的にフレームが送信されるようになっている。各フレームの所定の領域には予め定められたデータ列が格納されており、回線終端回路１０６は、外部加入者線１０１を介して送られてくる信号の中に、この予め定められたデータ列を各周期で連続して発見できるか否かによってフレーム同期が確立されたか否かを判別するようになっている。また、予測される位置から連続してデータ列を取得できなければ、フレーム同期が確立されていないと判別するようになっている。これらの判別結果として、前記したＬＯＦ１１６信号が出力されるようになっている。
【００２０】
図２〜図５は、スイッチ回路の採り得る４つの設定状態を表わしたものである。第１のスイッチＳ1は回線インタフェース回路１０２のＬ１線と回線終端回路１０６のＬ１線の間の接続をオン・オフするスイッチであり、第２のスイッチＳ2は回線インタフェース回路１０２のＬ２線と回線終端回路１０６のＬ２線の間の接続をオン・オフするスイッチである。第３のスイッチＳ3は回線インタフェース回路１０２のＬ１線と回線終端回路１０６のＬ２線の間の接続をオン・オフするスイッチであり、第４のスイッチＳ4は回線インタフェース回路１０２のＬ２線と回線終端回路１０６のＬ１線の間の接続をオン・オフするスイッチである。
【００２１】
本明細書では、回線インタフェース回路１０２のＬ１線と回線終端回路１０６のＬ１線を接続し、回線インタフェース回路１０２のＬ２線と回線終端回路１０６のＬ２線を接続する接続形態を「リバース」と呼ぶことにする。また、回線インタフェース回路１０２のＬ１線と回線終端回路１０６のＬ２線を接続し、回線インタフェース回路１０２のＬ２線と回線終端回路１０６のＬ１線を接続する接続形態を「ノーマル」と呼ぶことにする。
【００２２】
図２は第１の設定状態を表わしている。第１の設定状態では、第１〜第４のスイッチＳ1〜Ｓ4がすべてオフとなっている。この状態では、接続形態としてのリバースもノーマルも実現できない。
【００２３】
図３は第２の設定状態を表わしている。第２の設定状態では、第１および第２のスイッチＳ1、Ｓ2がオンとなっており、残りの第３および第４のスイッチＳ3、Ｓ4がオフとなっている。この状態で接続形態としてのリバースを実現することができる。本明細書では、この接続形態をリバース接続状態と呼ぶことにする。
【００２４】
図４は第３の設定状態を表わしている。第３の設定状態では、第１および第２のスイッチＳ1、Ｓ2がオフとなっており、残りの第３および第４のスイッチＳ3、Ｓ4がオンとなっている。この状態で接続形態としてのノーマルを実現することができる。本明細書では、この接続形態をノーマル接続状態と呼ぶことにする。
【００２５】
図５は第４の設定状態を表わしている。第４の設定状態では、第１〜第４のスイッチＳ1〜Ｓ4がすべてオンとなっている。この設定状態ではＬ１線とＬ２線がショート（短絡）するため、このような接続状態は実際の接続において禁止される。すなわち、図１に示した制御処理部１０９は、第１〜第３の接続状態のいずれかをとる制御を行うことになる。
【００２６】
なお、第１〜第４のスイッチＳ1〜Ｓ4は、メカニカルリレー等の機械的なスイッチを用いて実現してもよいし、フォトモスリレー等の半導体リレーやその他の電子的なスイッチを使用することも可能である。
【００２７】
これら第１〜第４の設定状態は、図１に示した第１の切替用信号１１７と第２の切替用信号１１８との組み合わせによって実現される。第１のスイッチＳ1と第２のスイッチＳ2は、第１の切替用信号１１７が値「０」のときにオフ、値「１」のときにオンとなるようになっている。また、第３のスイッチＳ3と第４のスイッチＳ4は、第２の切替用信号１１８が値「０」のときにオフ、値「１」のときにオンとなるようになっている。
【００２８】
なお、第１の設定状態では回線インタフェース回路１０２と回線終端回路１０６とが電気的に接続されていないため、外部加入者線１０１は回線として使用できない状態となっている。以降、この状態を回線閉塞状態あるいはクローズオン状態という。一方、第２および第３の設定状態すなわちノーマル接続状態とリバース接続状態では回線インタフェース回路１０２と回線終端回路１０６とが電気的に接続されており、極性が適合していれば外部加入者線１０１は回線として使用可能である。以降、この状態を回線閉塞解除状態あるいはクローズオフ状態という。
【００２９】
図６は、本実施例の回線終端装置の状態が遷移する様子を表わしたものである。図１と共に説明する。制御処理部１０９は、図示しないリセット手段の操作によってリセットが行われこれが解除されると（ステップＳ２０１）、まず回線終端回路１０６の初期化を行う（ステップＳ２０２）。初期化が完了すると、まずスイッチ回路１０３をリバース接続状態（図３）、すなわちクローズオフ状態にし（ステップＳ２０３）、後で説明する回線極性識別処理の実行によって回線の極性識別を実施する（ステップＳ２０４）。この回線の極性識別が完了すると（ステップＳ２０５）、回線終端装置１００を後で説明する常時起動動作モードに設定する（ステップＳ２０６）。ただし、この状態で図示しないモード切替手段の操作によって呼毎起動動作モードへの切り替えが指示されたり、予め呼毎起動動作モードを適用することが設定されていると（ステップＳ２０７）、回線終端装置１００を呼毎起動動作モードに設定する（ステップＳ２０８）。また、この状態でモード切替手段の操作によって呼毎起動動作モードの指示が解除されると（ステップＳ２０９）、常時起動動作モードに戻るようになっている（ステップＳ２０６）。
【００３０】
本実施例の回線終端装置を使用した通信システムでは、発信や着信の際、通信機器とネットワークとの間で同期を確立する必要がある。常時起動動作モードでは、これら通信機器とネットワークの間で常に一定の手順をやり取りしている。常時起動動作モードに対応するモードとして、呼毎起動動作モードがある。呼毎起動動作モードは、通信機器とネットワークとの間で手順のやり取りを呼毎に行うモードである。
【００３１】
常時起動動作モードあるいは呼毎起動動作モードに設定された状態で（ステップＳ２０６、Ｓ２０８）、ループ（Loop）指示を受けると（ステップＳ２１０、Ｓ２１１）、ループモードに移行するようになっている（ステップＳ２１２）。ループモードとは、信号の折り返しを行って、通信に障害が発生したときに通信経路上のどの範囲で発生した障害であるかを調べるモードである。ループ指示が解除されると（ステップＳ２１３、Ｓ２１４）、それぞれ元の常時起動動作モードあるいは呼毎起動動作モードに復帰する（ステップＳ２０６、Ｓ２０８）。
【００３２】
回線極性識別処理の実行中や（ステップＳ２０４）、常時起動動作モードの状態（ステップＳ２０６）、呼毎起動動作モードの状態（ステップＳ２０８）あるいはループモードの状態（ステップＳ２１２）で、前記したリセット解除等の所定の操作が行われると、クローズオン状態（図２）にし（ステップＳ２１５〜Ｓ２１８）、その後回線終端回路１０６の初期化を行う（ステップＳ２０２）。
【００３３】
図７は、図６のステップＳ２０４で示した回線極性識別処理で回線終端装置の状態が遷移する様子を表わしたものである。図１と共に説明する。図６のステップ２０３で回線終端回路１０６の初期化が完了しスイッチ回路１０３がリバース接続状態になると（ステップＳ２３１）、リバース接続状態でＬＯＦ信号１１６の検出とＬＯＳ信号１１５の検出の監視を行う状態としてのリバースアイドル状態となる（ステップＳ２３２）。このリバースアイドル状態で、回線終端回路１０６でフレーム同期が検出されてＬＯＦ信号１１６がオフとなると（ステップＳ２３３）、リバース接続状態で通信が可能なリバースリンクアップ状態に移行する（ステップＳ２３４）。
【００３４】
制御処理部１０９は、リバースリンクアップ状態に移行するごとに、タイマ１１２を使用してその状態に移行してからの経過時間を測定するようになっている。第１の所定時間が経過すると（ステップＳ２３５）、フレーム同期が確立した状態が十分に継続しており極性が適合しているとしてスイッチ回路１０３にリバース接続状態を設定する（ステップＳ２３６）。一方、第１の所定時間が経過する前に回線終端回路１０６でフレーム同期が検出されなくなりＬＯＦ信号１１６がオンとなると（ステップＳ２３７）、再びリバースアイドル状態に戻る（ステップＳ２３２）。この第１の所定時間は、たとえば通信制御のために実施される外部加入者線１０１の極性反転が継続する長さよりも長く設定する必要がある。このような極性反転が行われているときに、フレーム同期が検出されて誤ってスイッチ回路１０３にそのときの接続状態を設定してしまうということを防ぐためである。ただし、長く継続する極性反転も存在し得るため、通信制御で実施される極性反転の特徴や発生の頻度等を鑑みて設定する必要がある。
【００３５】
制御処理部１０９は、リバースアイドル状態でもその状態に移行してからの経過時間を測定するようになっている。そして、第２の所定時間が経過すると（ステップＳ２３８）、フレームが同期しない状態が十分に継続しており極性が適合していないとしてスイッチ回路１０３をノーマル接続状態に切り替える（ステップＳ２３９）。この第２の所定時間は、一時的な通信障害といった極性の不適合以外の外乱によっていちいちスイッチ回路１０３の接続状態を切り替えるといった事態を防ぐために、このような外乱の影響を受けたときにＬＯＦ信号１１６が出力される長さよりも長く設定する必要がある。したがって、外乱の最大継続時間に前記した同期確立のためのデータ列が送られてくる周期を加算した時間よりも長く第２の所定時間を設定しなければならない。ただし、長く継続する外乱も存在し得るので、外乱の特性を鑑みて線引きをする形で設定する必要がある。
【００３６】
スイッチ回路１０３の切り替えを行ってからの経過時間を測定し、第３の所定時間が経過すると（ステップＳ２４０）、ノーマル接続状態でＬＯＦ信号１１６の検出とＬＯＳ信号１１５の検出の監視を行う状態としてのノーマルアイドル状態に移行する（ステップＳ２４１）。ステップＳ２４０で第３の所定時間が経過するまでノーマルアイドル状態に移行しないのは、スイッチ回路１０３の切り替え後に回線終端回路１０６を含む回路系の状態が落ち着くのを待ち、誤信号が出力されてもこれを監視の対象としないようにするためである。このノーマルアイドル状態で、回線終端回路１０６でフレーム同期が検出されてＬＯＦ信号１１６がオフとなると（ステップＳ２４２）、ノーマル接続状態で通信が可能なノーマルリンクアップ状態となる（ステップＳ２４３）。
【００３７】
制御処理部１０９は、ノーマルリンクアップ状態に移行するごとにリバースリンクアップ状態のときと同様に経過時間を測定するようになっている。そして、その第４の所定時間が経過すると（ステップＳ２４４）、フレーム同期が確立した状態が十分に継続しており極性が適合しているとしてスイッチ回路１０３にノーマル接続状態を設定する（ステップＳ２４５）。一方、第４の所定時間が経過する前に回線終端回路１０６でフレーム同期が検出されなくなりＬＯＦ信号１１６がオンとなると（ステップＳ２４６）、再びノーマルアイドル状態に戻る（ステップＳ２４１）。
【００３８】
制御処理部１０９は、ノーマルアイドル状態でもリバースアイドル状態のときと同様に経過時間の測定を行うようになっている。第５の所定時間が経過すると（ステップＳ２４７）、フレームが同期しない状態が十分に継続しており極性が適合していないとしてスイッチ回路１０３をリバース接続状態に切り替える（ステップＳ２４８）。そして、この切り替えを行うと同時にタイマ１１２を使用して経過時間を計測し、第６の所定時間が経過すると（ステップＳ２４９）、再びリバースアイドル状態に移行する（ステップＳ２３２）。
【００３９】
このようにして、回線終端装置１００のスイッチ回路１０３はリバースアイドル状態とノーマルアイドル状態を遷移し、いずれかの状態でフレーム同期が確立された場合にはその接続状態がスイッチ回路１０３に設定されることになる。また、同期が確立されない状態がある程度継続した場合に他方の接続状態に遷移して監視を行うので、通信障害によるノイズが発生したり通信制御のために外部加入者線の極性が反転されているような場合にいちいち接続状態を切り替えるといったことを防ぐことができる。
【００４０】
しかしながら、いずれの接続状態でもフレーム同期が確立されない場合、特にＬＯＳ信号１１５が検出されている場合には、極性の不一致以外の通信障害が発生している可能性が高い。そこで、カウンタ１１３を使用して状態を遷移した回数をカウントし、ステップＳ２３８あるいはステップＳ２４７でそのカウント値が「ｎ」（ただし、「ｎ」は任意の正の整数）に達しており、なおかつＬＯＳ信号１１５が検出されている場合には、それ以上の接続状態の切り替えを行わないようになっている。
【００４１】
一方で、リバースリンクアップ状態やノーマルリンクアップ状態への移行が行われている場合、すなわちＬＯＦ信号１１６が間欠的にでもオフとなっているような場合には、極性が適合している可能性があるといえる。そこで、リバースリンクアップ状態やノーマルリンクアップ状態に移行しているか否かによってカウント値の増減を調整することが望ましい。
【００４２】
図８は、このようなカウント値の増減に工夫を行った場合の回線極性識別処理で回線終端装置の状態が遷移する様子を表わしたものであり、図７と対応するものである。図７と対応する部分には同一ステップ番号を付し、これについての説明を省略する。なお、カウント値は図中で記号「Ｃ」で表わし、各ステップ番号に添えた括弧書き内の数値は、対応するカウント値の状態を表すものとする。制御処理部１０９は、ノーマルアイドル状態に移行する度に（ステップＳ２４１）、カウンタ１１３のカウント値を１つ増加させるとともに、リバースリンクアップ状態あるいはノーマルリンクアップ状態に移行する度に（ステップＳ２３４、ステップＳ２４３）、そのカウント値を「０」に戻すようになっている。また、リバースアイドル状態（ステップＳ２３２）でカウント値が所定のしきい値（ここでは「３」）に達すると、そのままリバースアイドル状態（ステップＳ２３２）を維持しＬＯＦ信号１１６の検出を待機するようになっている。
【００４３】
通常はリバース接続状態で極性が適合する場合が多いため、いずれの接続状態でも継続してフレーム同期が確立されないこのような場合には、リバースアイドル状態での監視時間がより長くなるようにすることが望ましい。したがって、リバースリンクアップ状態やノーマルリンクアップ状態に移行しないままリバースアイドル状態とノーマルアイドル状態との間の遷移を繰り返している場合には、最終的にリバースアイドル状態となるように工夫している（ステップＳ２３２）。
【００４４】
次に、以上説明した状態遷移をソフトウェアで実現させる場合の処理の流れについて説明する。制御処理部１０９は、図６に示した回線終端装置１００の状態遷移を実現させるために、装置状態遷移処理を実行するようになっている。制御処理部１０９は、図示しない装置内部の回路部分あるいはシステム等により、回線終端回路１０６の初期化の指示を受け付けるとともに、初期状態として回線極性識別処理を実行するか否か、および呼毎起動動作モードを設定するか否かの設定を受け付けるようになっている。また、各設定は後述する装置状態遷移処理の実行中に変更可能である。更に、障害発生の範囲を特定するための異なる２つのループモードについて、その実行の指示および指示解除を受け付けることができるようになっている。ループ１モードは回線終端装置１００外部からの信号折り返しを行うものであり、ループ２モードは回線終端装置１００内部での信号折り返しを行うものである。なお、図８で説明したようなカウント値の増減の工夫は行っていないものとする。
【００４５】
図９は、制御処理部の装置状態遷移処理の流れを表わしたものである。制御処理部１０９は、回線終端回路１０６の初期化が指示されると（ステップＳ３０１：Ｙ）、スイッチ回路１０３をクローズオン状態にするとともに回線終端回路１０６を初期化する（ステップＳ３０２）。回線極性識別処理の実行が設定されている場合には（ステップＳ３０３：Ｙ）、後述する回線極性識別処理を実行し（ステップＳ３０４）、更に呼毎起動動作モードが指定されている場合には（ステップＳ３０５：Ｙ）、回線終端回路１０６に呼毎起動動作モードを設定する（ステップＳ３０６）。呼毎起動動作モードが指定されていない場合には（ステップＳ３０５：Ｎ）、回線終端回路１０６に常時起動動作モードを設定する（ステップＳ３０７）。回線極性識別処理の実行が設定されていない場合には（ステップＳ３０３：Ｎ）、そのままステップＳ３０５へと進み、同様に呼毎起動動作モードあるいは常時起動動作モードを回線終端回路１０６に設定する。
【００４６】
回線終端回路１０６に呼毎起動動作モードあるいは常時起動動作モードが設定されると、起動動作モードの切り替えの指示があるか否かを判別する（ステップＳ３０８）。切り替えの指示があったと判別すると（Ｙ）、呼毎起動動作モードとなっていれば常時起動動作モードへ、常時起動動作モードとなっていれば呼毎起動動作モードへと切り替えを行い（ステップＳ３０９）、再び回線終端回路１０６の初期化が指示されるのを待機する（リターン）
【００４７】
回線終端回路１０６の初期化が指示されず（ステップＳ３０１：Ｎ）、回線終端回路１０６に常時起動動作モードが設定されている場合には（ステップＳ３１０：Ｙ）、回線極性識別処理の実行が指示されたか否かを判別する（ステップＳ３１１）。指示された場合には（Ｙ）、ステップＳ３０４へ進み再び回線極性識別処理を実行する。回線極性識別処理の実行が指示されない場合には（ステップＳ３１１：Ｎ）、次にループ１モードあるいはループ２モードの実行が指示されたか否かを判別する（ステップＳ３１２）。常時起動動作モードで回線極性識別処理やループ１モードあるいはループ２モードのいずれも実行が指示されない場合には（ステップＳ３１２：Ｎ）、ステップＳ３０８へ進み、指示に応じて起動モードの切り替えを行う。
【００４８】
また、ループ１モードあるいはループ２モードの実行が指示された場合には（ステップＳ３１２：Ｙ）、回線終端回路１０６にその指示されたループモードを開始させる（ステップＳ３１３）。開始させたループモードが完了すると（ステップＳ３１４：Ｙ）、ステップＳ３０８へと進み、指示に応じて起動モードの切り替えを行う。ステップＳ３１２でループ１モードとループ２モードの両方の実行が指示されることもあるが、このときにはたとえばループ１モードを完了した後にループ２モードに移行するようになっている。
【００４９】
図１０は、制御処理部の回線極性識別処理の流れを表わしたものであり、図９のステップＳ３０４に対応するものである。ここで、図７で説明した第４〜第６の所定時間は、第１〜第３の所定時間の対応するものとそれぞれ同じに設定されているものとする。制御処理部１０９は、まず回線終端回路１０６が初期化後コマンド受け入れ可能な状態になったと判別すると（ステップＳ３３１：Ｙ）、まずスイッチ回路１０３をリバース接続状態にするとともにカウンタ１１３を初期値「０」に設定し（ステップＳ３３２）、第３の所定時間が経過してから（ステップＳ３３３：Ｙ）、回線終端回路１０６からのＬＯＦ信号１１６およびＬＯＳ信号１１５の監視を開始するとともに、経過時間の測定を初期値「０」から開始する（ステップＳ３３４）。
【００５０】
第２の所定時間が経過する前にＬＯＦ信号１１６がオフとなれば（ステップＳ３３５：Ｎ、Ｓ３３６：Ｙ）、現状の接続状態でフレーム同期が確立されているため、これを極性識別の結果として設定するか否かを判別するためにその経過時間の計測を初期値「０」から開始する（ステップＳ３３７）。この状態で第１の所定時間が経過すると（ステップＳ３３８：Ｙ）、現状の接続状態を極性識別の結果として設定し（ステップＳ３３９）、処理を終了する（エンド）。一方、第１の所定時間が経過する前にＬＯＦ信号１１６がオンとなると（ステップＳ３３８：Ｎ、Ｓ３４０：Ｙ）、ステップＳ３３４へ戻り、再び経過時間の計測を初期値「０」から開始する。
【００５１】
ステップＳ３３４へ移行してから第２の所定時間が経過し（ステップＳ３３５：Ｙ）、ＬＯＳ信号１１５がオフとなっている場合には（ステップＳ３４１：Ｙ）、スイッチ回路１０３の接続状態を切り替えるととともにカウンタ１１３のカウント値を１つ増加させる（ステップＳ３４２）。具体的には、リバース接続状態であればノーマル接続状態に、ノーマル接続状態であればリバース接続状態に切り替えるようになっている。また、ＬＯＳ信号１１５がオンとなっている場合でも（ステップＳ３４１：Ｎ）、カウンタ１１３のカウント値がまだ所定のしきい値「ｎ」未満である場合には（ステップＳ３４３：Ｙ）、同様にステップＳ３４２へ進み、接続状態の切り替えとカウント値の増加を行う。そしてステップＳ３３３へ戻り、第３の所定時間が経過してから現状の接続状態でのＬＯＦ信号１１６およびＬＯＳ信号１１５の監視を開始する。すなわち、この例では、カウント値が偶数のときにはリバース接続状態、奇数のときにはノーマル接続状態になることになる。
【００５２】
いずれの接続状態でもフレーム同期が確立されず、リバース接続状態とノーマル接続状態とを切り替えるうちにＬＯＳ信号１１５がオンとなっている状態でカウント値がしきい値「ｎ」に達した場合には（ステップＳ３４３：Ｎ）、ステップＳ３３９へ進み現状の接続状態を極性識別の結果として設定し、処理を終了する（エンド）。すなわち、いずれの接続状態でもフレーム同期が確立されずＬＯＳ信号１１５がオンとなっている場合、しきい値「ｎ」が奇数の場合にはリバース接続状態が、偶数の場合にはノーマル接続状態が極性識別の結果として設定されるようになっている。
【００５３】
以上説明したように本実施例では、回線終端回路１０６から出力されるＬＯＳ信号１１５とＬＯＦ信号１１６の状態を監視して回線の接続極性を判別し、極性を適合させて通信を開始させることができる。これにより、接続極性が逆となっている現地工事箇所においても、現地に現地調査要員を派遣して工事をするといったことを省くことが可能となるだけでなく、そもそものＩＳＤＮ回線を開通させる工事の際に接続極性の正否を意識する必要がなくなる。また、同期が確立されない状態がある程度継続した場合に他方の接続状態に遷移して監視を行うので、通信障害によるノイズが発生したり通信制御のために外部加入者線の極性が反転されているような場合にいちいち接続状態を切り替えるといったことを防ぐことができる。
【００５４】
なお、ＩＳＤＮ回線に接続する回線終端装置に適用する場合について説明したが、他の極性を有する電話回線に回線終端回路を接続する各種環境に適用できることはもちろんである。また、制御処理部やスイッチ回路を回線終端装置の外部に設けることも可能である。
【図面の簡単な説明】
【００５５】
【図１】本発明の一実施例による接続制御装置としてのスイッチ回路と制御処理部を備えた回線終端装置の要部を表わした構成図である。
【図２】本発明の実施例によるスイッチ回路の採り得る第１の設定状態を表わした説明図である。
【図３】本発明の実施例によるスイッチ回路の採り得る第２の設定状態を表わした説明図である。
【図４】本発明の実施例によるスイッチ回路の採り得る第３の設定状態を表わした説明図である。
【図５】本発明の実施例によるスイッチ回路の採り得る第４の設定状態を表わした説明図である。
【図６】本発明の実施例による回線終端装置の状態が遷移する様子を表わした説明図である。
【図７】本発明の実施例による回線極性識別処理で回線終端装置の状態が遷移する様子を表わした説明図である。
【図８】本発明の実施例によるカウント値の増減に工夫を行った場合の回線極性識別処理で回線終端装置の状態が遷移する様子を表わした説明図である。
【図９】本発明の実施例による制御処理部の装置状態遷移処理の流れを表わした流れ図である。
【図１０】本発明の実施例による制御処理部の回線極性識別処理の流れを表わした流れ図である。
【符号の説明】
【００５６】
１００  回線終端装置
１０１  外部加入者線
１０２  回線インタフェース回路
１０３  スイッチ回路
１０４、１０５、１０７、１０８  入出力端
１０６  回線終端回路
１０７  切替制御信号
１０９  制御処理部
１１２  タイマ
１１３  カウンタ
【図１】
2006303564.tif 000003
【図２】
2006303564.tif 000004
【図３】
2006303564.tif 000005
【図４】
2006303564.tif 000006
【図５】
2006303564.tif 000007
【図６】
2006303564.tif 000008
【図７】
2006303564.tif 000009
【図８】
2006303564.tif 000010
【図９】
2006303564.tif 000011
【図１０】
2006303564.tif 000012